(57)【要約】【課題】  形状を適切化して高さ寸法低減に対応しつつ空気の流入を阻止できることに加え、濾過部分に溜った不純物やスケール等の異物を確認しやすく、清掃等のメンテナンス作業性を大幅に向上させられる冷却塔用ストレーナを提供する。【解決手段】  ストレーナ本体１０をその大部分が取水口５２上端より低い略箱形状とすると共に、水の進入路をストレーナ本体１０側部と下部水槽５０底面との間の隙間とし、且つストレーナ本体１０下部に配設するフィルタ２０を曲面状として、ストレーナ内へ水の吸込まれる方向を水槽底面に沿う横からの向きに制御しつつ、フィルタにおける濾過面積を十分確保することから、水を隙間から横向きに吸込みつつ異物を適切に捕捉でき、且つ異物の詰りに伴う水の流路閉塞を生じにくくする一方、取水口近傍での水の下向き移動を発生させないようにして下部水槽５０水面付近の空気の吸込みを抑えられる。【選択図】  図４
2005324090.tif 000002
【特許請求の範囲】
【請求項１】
冷却塔の下部水槽底部近傍で横向きに開口して冷却対象の循環水又は冷却塔熱交換部への散布用の散布水を取出す取水口に対し、前記取水口周りに覆い被さって取水口へ向う前記循環水又は散布水の進入方向を制限する略箱状のストレーナ本体と、当該ストレーナ本体所定位置に配設され、前記取水口へ向う循環水又は散布水を通過させつつ当該循環水又は散布水から所定の大きさ以上の異物を濾し取るフィルタとを備える冷却塔用ストレーナにおいて、
前記ストレーナ本体が、下部水槽に伏せた状態として配置されると共に前記取水口に側部を接続されて内部を連通させる略箱状体で形成され、一又は複数の側部と下部水槽底面との間に隙間を有すると共に、上面部のうち取水口との接続部近傍を除いた部分を取水口上端位置より低くされてなり、
前記フィルタが、円筒面の一部をなす曲面状の略板状濾材で形成され、下部水槽底面との間に隙間を有し、且つ前記取水口より外側に位置する状態で、曲面凸側を下向きとして配設されることを
特徴とする冷却塔用ストレーナ。
【請求項２】
前記請求項１に記載の冷却塔のストレーナ構造において、
前記ストレーナ本体が、側部の各隅部から下方に突出して前記下部水槽底面に接する脚部を配設され、当該脚部の突出量をそれぞれ調整自在として側部と下部水槽底面との間の隙間の大きさを調整可能とされてなることを
特徴とする冷却塔用ストレーナ。
【請求項３】
前記請求項１に記載の冷却塔のストレーナ構造において、
前記ストレーナ本体が、前記下部水槽に対する全体の傾きを調整可能として配設され、側部と下部水槽底面との間の隙間の大きさを調整可能とされてなることを
特徴とする冷却塔用ストレーナ。
【請求項４】
前記請求項１ないし３のいずれかに記載の冷却塔のストレーナ構造において、
前記ストレーナ本体の一又は複数の側部に沿ってスライド可能に配設され、側部と下部水槽底面間の隙間量を調整可能とする略板状の開度調整板を備えることを
特徴とする冷却塔用ストレーナ。
【請求項５】
前記請求項１ないし４のいずれかに記載の冷却塔のストレーナ構造において、
前記ストレーナ本体が、前記フィルタの上側にあたる部位の少なくとも一部分を他の部分と別体とされ、且つ前記他の部分に対し開閉可能とされてなることを
特徴とする冷却塔用ストレーナ。
【請求項６】
前記請求項１ないし４のいずれかに記載の冷却塔のストレーナ構造において、
前記ストレーナ本体が、前記フィルタの上側にあたる部位の少なくとも一部分を透明材質製とされることを
特徴とする冷却塔用ストレーナ。
【請求項７】
前記請求項１ないし６のいずれかに記載の冷却塔のストレーナ構造において、
前記ストレーナ本体が、側部と前記下部水槽底面との間の隙間における高さ方向の隙間量を前記取水口から離れるほど大きくする形状とされることを
特徴とする冷却塔用ストレーナ。
【請求項８】
前記請求項１ないし７のいずれかに記載の冷却塔のストレーナ構造において、
前記ストレーナ本体が、側部と前記下部水槽底面との間の隙間における高さ方向の隙間量を、下部水槽の略上下方向に起立する壁面に近いほど小さくする形状とされることを
特徴とする冷却塔用ストレーナ。
【発明の詳細な説明】
【技術分野】
【０００１】
本発明は、循環使用する水の冷却を行う冷却塔において下部水槽の取水口から出て外部へ向う循環水又は散布水から異物を除去し、その水質を維持する冷却塔用ストレーナに関し、特に冷却塔全体の高さ寸法低減化に対応した薄型形状を有しつつ、空気の吸込み防止とメンテナンス性向上を実現できるストレーナに関する。
【背景技術】
【０００２】
一般に、工場や空気調和設備などで循環使用する水の冷却を目的として屋外に設置される冷却塔には、冷却塔内部の熱交換部分で空気と水を直接接触させ、水と空気の温度差を利用する熱伝達すなわち顕熱による冷却作用、及び、水自体の蒸発すなわち潜熱（蒸発熱）による冷却作用を合せ持つ開放式冷却塔と、熱交換器を有して空気と循環水が直接接触しない密閉式冷却塔とがある。
【０００３】
こうした冷却塔では、開放式冷却塔の場合は循環水、密閉式冷却塔の場合は熱交換器に散布されて潜熱による冷却効果を付加する散布水が、それぞれ直接大気と接触するため、大気中の汚染物質がこれらの水に不純物として溶け込み、水を汚染するだけでなく、スケールとして析出し、これらが下部水槽から管路へ流出すると水循環系各部に悪影響を及す他、熱交換器に達すると伝熱効率を低下させ、冷却塔としての動作に不具合を及す危険性があった。
【０００４】
このため、従来から、下部水槽における水取出し用の取水口部分には、析出したスケールや外部から入り込んだ固形物等の異物を除去して水のみ循環用管路に送出すストレーナが配設されている。このような従来の冷却塔用ストレーナの一例を図７に示す。図７は従来の冷却塔用ストレーナの側面図、背面図及び底面図である。
【０００５】
前記図７において従来のストレーナ１００は、下部水槽１１０内における取水管１１１の取水口１１２近傍に、この取水口１１２を覆うように配設される略箱型カバー体として配設される構成である。ストレーナ１００の入口側となる下部には、濾過部として平板状の金網１０１が配設されており、下部水槽１１０に達して取水口１１２に吸込まれようとする水は一旦ストレーナ１００に入るが、水中のスケール等の異物が入口の金網１０１を通る際に濾し取られることで、これらの異物が水と共に冷却塔をはじめとする循環用管路を流れるのを抑制する仕組みとなっている。
【０００６】
ただし、こうした金網１０１等の濾過部分に捕捉されたこうした異物が大量に付着して詰まり、水の流れを滞らせる状態に至ると、冷却塔の正常動作を阻害するため、ストレーナ１００に対しては異物除去等のメンテナンスが必要である。  この他、空気が循環用管路系に誤って侵入すると、循環用ポンプによる下部水槽内の水の吸込み、管路への加圧送出し動作が不調となり、水の循環が止るなど、運転停止が許されない冷却塔にとって重大なトラブルにつながるため、ストレーナ１００は、下部水槽１１０内で取水口１１２を覆って水の進入路をなるべく下方に下げて水面から遠ざけ、循環用ポンプの吸込み力によっては吸込み開始時の勢いで下部水槽１１０の水面をすり鉢状に引下げるようなことがあっても、空気が誤って吸込まれないようにする機能も果している。
【０００７】
一方、近年、冷却塔据付け現場での冷却塔組立て作業をなるべく短時間で済ませたいとする要請から、初めから冷却塔を一体構造として現場に搬入する機会が多くなっている。冷却塔を一体構造として搬送する場合、道路での高さ制限など搬送上の都合から冷却塔全高をなるべく低くする要求があるため、冷却塔各部で高さをより低くするような構造の見直しが実施されており、下部水槽の高さ寸法低減化が図られている。
【発明の開示】
【発明が解決しようとする課題】
【０００８】
従来の冷却塔のストレーナは以上のように構成されており、箱形のストレーナ１００の下部に開口を配置し、濾過部分である金網１０１をストレーナ１００下側に位置させた形状としていたことから、金網１０１における異物の付着状態は周囲から識別不能であり、この異物付着状態を確認するだけでも、冷却塔の運転を停止させた上でストレーナ１００を下部水槽１１０内から一旦取外す必要があるという課題を有していた。仮に、付着した異物が金網１０１を詰らせてその開口度を過度に減少させると、循環用ポンプの吸込み力によって金網１０１の破壊などストレーナ１００自体の損傷が生じてしまうことから、この金網１０１に付着した異物を流れが滞ってしまう前に除去しなければならないが、異物の付着状態を常時監視できないため、濾過部分に異物が詰る直前にタイミング良く清掃することができず、このストレーナについては定期的な清掃に頼る他なく、清掃の手間とコストが大きくなってしまうという課題を有していた。
【０００９】
また、従来のストレーナでは、ストレーナと下部水槽底面との隙間は一定であり、ストレーナが下部水槽内に水槽中央ではなくいずれかの壁面に片寄って取付けられた場合、水の流動に係る抵抗の差異から壁寄り側とそうでない側とで吸込み流速が不均一となるため、水面上方の空気が誤って取水口に吸込まれる事態に至る危険性が高いという課題を有していた。
【００１０】
また、下部水槽の高さ寸法低減は、この下部水槽内の定常水位の低下を伴っており、これは冷却塔運転中に過渡的に水面が定常状態より下がった場合、空気を吸込んでしまう危険性をさらに高くすることとなる。よって、空気吸込み防止の点からストレーナのより下部に開口を配置する他はなく、濾過部分をストレーナ下側以外の位置に配置することは困難であり、ストレーナ濾過部分の配置を変えて異物の付着状態を周囲から識別できるようにすることはできなかった。
【００１１】
本発明は前記課題を解消するためになされたもので、ストレーナ形状を適切化し、高さ寸法低減に対応しつつ下部水槽内の水を確実に取水口に導いて空気の流入を阻止できることに加え、濾過部分に溜った不純物やスケール等の異物を確認しやすく、清掃等のメンテナンス作業性を大幅に向上させられる冷却塔用ストレーナを提供することを目的とする。
【課題を解決するための手段】
【００１２】
本発明に係る冷却塔用ストレーナは、冷却塔の下部水槽底部近傍で横向きに開口して冷却対象の循環水又は冷却塔熱交換部への散布用の散布水を取出す取水口に対し、前記取水口周りに覆い被さって取水口へ向う前記循環水又は散布水の進入方向を制限する略箱状のストレーナ本体と、当該ストレーナ本体所定位置に配設され、前記取水口へ向う循環水又は散布水を通過させつつ当該循環水又は散布水から所定の大きさ以上の異物を濾し取るフィルタとを備える冷却塔用ストレーナにおいて、前記ストレーナ本体が、下部水槽に伏せた状態として配置されると共に前記取水口に側部を接続されて内部を連通させる略箱状体で形成され、一又は複数の側部と下部水槽底面との間に隙間を有すると共に、上面部のうち取水口との接続部近傍を除いた部分を取水口上端位置より低くされてなり、前記フィルタが、円筒面の一部をなす曲面状の略板状濾材で形成され、下部水槽底面との間に隙間を有し、且つ前記取水口より外側に位置する状態で、曲面凸側を下向きとして配設されるものである。
【００１３】
このように本発明においては、下部水槽内の水を取出す取水口を覆うストレーナ本体をその大部分が取水口上端より低い略箱形状とすると共に、水の進入路をストレーナ本体側部と下部水槽底面との間の隙間とし、且つストレーナ本体下部に配設するフィルタを曲面状として、ストレーナ内へ水の吸込まれる方向を水槽底面に沿う横からの向きに制御しつつ、フィルタにおける濾過面積を十分確保することにより、水を隙間から横向きに吸込みつつ異物を適切に捕捉でき、且つ異物の詰りに伴う水の流路閉塞を生じにくくする一方、取水口近傍での水の下向き移動を発生させないようにして下部水槽水面付近の空気の吸込みを抑えられることとなり、循環水又は散布水中に空気を混入させずに循環させられ、冷却塔のトラブルを未然に防止できる。また、フィルタを曲面状としていることで、ストレーナ本体側部と下部水槽底面との間の隙間を介して側方からフィルタへの異物付着の状況を確認することができ、フィルタが平板状の場合に比べて異物付着の状況を把握しやすく、異物除去等のメンテナンスをタイミングよく行えることとなり、そのメンテナンス頻度を低減して保守コストの低減が図れる。
【００１４】
また、本発明に係る冷却塔用ストレーナは必要に応じて、前記ストレーナ本体が、側部の各隅部から下方に突出して前記下部水槽底面に接する脚部を配設され、当該脚部の突出量をそれぞれ調整自在として側部と下部水槽底面との間の隙間の大きさを調整可能とされてなるものである。
【００１５】
このように本発明においては、ストレーナ本体隅部に脚部を配設すると共にこの脚部長さの調節でストレーナ本体の位置を微調整可能とし、ストレーナ本体位置の変化に基づいて側部と下部水槽底面間の隙間の開口面積を調整して水の流入状態を変えることにより、下部水槽中のストレーナ配設位置で異なる周囲からの水の流入抵抗や、取水管からの水の吸込み力の差異に伴う流入量の違いに対応して隙間の開口面積を変化させ、水を周囲から適切に流入させることができ、水を効率よく取水口に導いて損失を最小限に抑えられると共に、空気の吸込みを確実に防止できる。
【００１６】
また、本発明に係る冷却塔用ストレーナは必要に応じて、前記ストレーナ本体が、前記下部水槽に対する全体の傾きを調整可能として配設され、側部と下部水槽底面との間の隙間の大きさを調整可能とされてなるものである。
【００１７】
このように本発明においては、ストレーナ本体の傾きを調整可能とし、ストレーナ本体の傾き変化に伴わせて側部と下部水槽底面間の隙間の開口面積を調整し、水の流入状態を変えることにより、下部水槽中のストレーナ配設位置で異なる周囲からの水の流入抵抗や、取水管からの水の吸込み力の差異に伴う流入量の違いに対応して開口面積を変化させ、水を周囲から適切に流入させることができ、水を効率よく取水口に導いて損失を最小限に抑えられると共に、空気の吸込みを確実に防止できる。
【００１８】
また、本発明に係る冷却塔用ストレーナは必要に応じて、前記ストレーナ本体の一又は複数の側部に沿ってスライド可能に配設され、側部と下部水槽底面間の隙間量を調整可能とする略板状の開度調整板を備えるものである。
【００１９】
このように本発明においては、ストレーナ本体側部に開度調整板を配設し、この開度調整板の位置調節で側部と下部水槽底面間の隙間の開口面積を調整し、ストレーナ本体内への水の流入状態を隙間ごとに変化させられることにより、ストレーナ周囲の状況に応じて隙間ごとの開口面積を変化させ、水を下部水槽内から最適な流入状態でストレーナ内へ流入させることができ、空気の吸込みも阻止できる。
【００２０】
また、本発明に係る冷却塔用ストレーナは必要に応じて、前記ストレーナ本体が、前記フィルタの上側にあたる部位の少なくとも一部分を他の部分と別体とされ、且つ前記他の部分に対し開閉可能とされてなるものである。
【００２１】
このように本発明においては、ストレーナ本体におけるフィルタの上側にあたる部位を開閉可能とし、内側のフィルタの状態をこのストレーナ本体の一部を開けて視認可能とすることにより、異物がフィルタに付着した状態をストレーナ本体全体を取外さずに確認できることとなり、容易にフィルタ状態の確認作業が行えると共に、フィルタ清掃のタイミングを適切に判断でき、異物除去等の手間を必要最小限にとどめることができ、メンテナンスに係るコストを大幅に低減できる。
【００２２】
また、本発明に係る冷却塔用ストレーナは必要に応じて、前記ストレーナ本体が、前記フィルタの上側にあたる部位の少なくとも一部分を透明材質製とされるものである。
【００２３】
このように本発明においては、ストレーナ本体におけるフィルタの上側にあたる部位を透明材質とし、中のフィルタの状態を透明部分を介して外から視認可能とすることにより、異物がフィルタに付着した状態をストレーナ本体を取外さずに確認できることとなり、容易にフィルタ状態の確認作業が行えると共に、フィルタ清掃のタイミングを適切に判断でき、異物除去等の手間を必要最小限にとどめることができメンテナンスに係るコストを大幅に低減できる。
【００２４】
また、本発明に係る冷却塔用ストレーナは必要に応じて、前記ストレーナ本体が、側部と前記下部水槽底面との間の隙間における高さ方向の隙間量を前記取水口から離れるほど大きくする形状とされるものである。
【００２５】
このように本発明においては、ストレーナ本体側部と下部水槽底面との間の隙間各位置における隙間高さ寸法を取水口から離れた部位ほどより大きくして形成し、取水口から離れて吸込み力のより小さくなる部分ほど大きくなる開口形状とすることにより、取水口に近く吸込み力の強い部位で開口を狭くして水の吸込み量が過剰とならないよう抑える一方、逆に吸込み力の弱い部分で広げた開口から抵抗なくスムーズに水を流入させるなど、吸込み力の大小に合わせて適切な形状とした開口各部位で一様に水を導入できることとなり、流入の偏りに伴って空気の混入を招くこともなく、安定的に水を取水口へ導ける。
【００２６】
また、本発明に係る冷却塔用ストレーナは必要に応じて、前記ストレーナ本体が、側部と前記下部水槽底面との間の隙間における高さ方向の隙間量を、下部水槽の略上下方向に起立する壁面に近いほど小さくする形状とされるものである。
【００２７】
このように本発明においては、ストレーナ本体側部と下部水槽底面間の隙間が下部水槽壁面により近い、すなわち壁面の影響による水の流入抵抗がより大きいほど、隙間の高さ寸法を小さくするようにストレーナ本体側部形状を設定して開口を小さくすることにより、ストレーナ周囲の状況に基づくストレーナ内への水の流入しやすさに合わせた適切な大きさの開口が得られることとなり、各開口部分に過剰な吸込み力を生じさせず、吸込み力が周囲からの水の供給能力を超えて水以外に誤って空気を吸込むようなことがなく、例えば、ストレーナ開口が壁側に近づくほど壁の影響で水を吸込みにくくなって逆に空気が入りやすくなる状態を回避できるなど、各開口部分から適切且つスムーズに水を流入させて取水口に水を安定して導入させられる。
【発明を実施するための最良の形態】
【００２８】
以下、本発明の一実施の形態に係る冷却塔用ストレーナを図１ないし図６に基づいて説明する。本実施の形態においては、開放式冷却塔の下部水槽内にストレーナを配設した例について説明する。図１は本実施の形態に係る冷却塔用ストレーナの配置状態説明図、図２は本実施の形態に係る冷却塔用ストレーナを用いる下部水槽の平面図、図３は本実施の形態に係る冷却塔用ストレーナの平面図、図４は本実施の形態に係る冷却塔用ストレーナの正面図、左側面図、及び右側面図、図５は本実施の形態に係る冷却塔用ストレーナの背面図及び底面図、図６は本実施の形態に係る冷却塔用ストレーナの扉部開放状態説明図である。
【００２９】
前記各図に示すように、本実施の形態に係るストレーナ１は、公知の開放式冷却塔３０の下部水槽５０底部近傍で横向きに開口して冷却対象の循環水を取出す取水口５２に対し、この取水口５２側方に覆い被さって取水口５２へ向う循環水の進入方向を制限する略箱状のストレーナ本体１０と、このストレーナ本体１０内側に配設され、前記取水口５２へ向う循環水を通過させつつこの循環水から所定の大きさ以上の異物を濾し取るフィルタ２０とを備える構成である。
【００３０】
前記下部水槽５０は、冷却塔３０の下部に配設され、冷却塔３０の熱交換部４０から流下した循環水を所定量貯溜可能とされる公知の構成であり、詳細な説明を省略する。この下部水槽５０には循環水送出し用の取水管５１が接続され、下部水槽５０内に一部延長配設された取水管５１端部の取水口５２部分に前記ストレーナ１が配設される構成である。
【００３１】
前記ストレーナ本体１０は、浅い略箱状体で形成され、前記取水口５２に側部を接続されて内部を連通させつつ下部水槽５０に伏せた状態として配設され、各隅部の脚部１１により下部水槽５０底面から若干浮いた状態で支持され、各側部下縁と下部水槽５０底面との間の隙間が取水口５２に向う循環水をストレーナ内部へ進入可能とする開口１３、１４、１５とされる構成である。
【００３２】
このストレーナ本体１０は、上面部のうち取水口５２との接続部を除いた部分を取水口５２上端位置より低くされてなり、この下側に前記フィルタ２０を収容する構成である。このストレーナ本体１０のうち、上面の一部分は他の部分と別体の扉部１２とされ、他の上面部分に対し開閉可能とされてなる構成である。
【００３３】
ストレーナ本体１０の側部と下部水槽５０底面との間の隙間として与えられる開口１３、１４、１５のうち、取水口５２に対する側方における開口１４は、取水口５２から離れた部位ほどストレーナ本体１０の側部下縁位置を高めていることで高さ方向に広がった形状としている（図４（Ｃ）参照）。取水口５２に近く吸込み力の大きい開口部位を狭くする一方、取水口５２から離れて吸込み力のより弱く加わる開口部位をより広く形成することで、開口１４各位置からスムーズ且つ均等に水を流入させられ、開口の一部に水が集中して水面側からの空気吸込みを招くようなことはない。
【００３４】
さらに、本実施形態に係るストレーナ１のように、下部水槽５０の中央からずれてストレーナ本体１０の側部が下部水槽５０の所定の内壁に近づいた状態で配設される場合（図２参照）、ストレーナ本体１０の側部と下部水槽５０底面との間の隙間からなる開口１３、１４、１５の大きさを、壁に近い側でより小さくし、壁から離れている側でより大きくするようにストレーナ本体１０の形状を設定している（図３、図４参照）。これは、壁近くにある開口部分では壁面の抵抗で水を吸込みにくく、水流入量が少なくなる一方、逆に空気が入りやすくなることによるもので、当初から壁寄りの開口部分を水の流入に合わせて小さく形成して、過剰な吸込みによる空気流入の危険を回避している。このように、下部水槽５０内におけるストレーナ位置に伴って変化する水の流入に対する周囲からの影響に応じて各開口の大きさや形状を流入量バランスが適正となるように調整している。ここで、仮にストレーナ１が下部水槽５０の中心で下部水槽５０内壁から均等に離れた状態であれば、ストレーナ１各部の開口形状は取水口５２の中心軸について対称形となる。
【００３５】
前記フィルタ２０は、円筒面の一部をなす曲面状の金網材で形成され、下部水槽５０底面との間に隙間を有し、且つ取水口５２より外側に位置する状態で、曲面凸側を下向きとしてストレーナ本体１０内面に支持枠２１を介して周囲を密着させて配設される構成であり、取水口５２の手前側で循環水中に存在する金網網目以上の大きさの異物を捕捉する仕組みである。なお、このフィルタ２０としては、金網に限らず、多孔質で略板状の他の濾材を用いてもかまわない。
【００３６】
次に、前記構成に基づくストレーナにおける異物捕捉状態について説明する。冷却塔３０において、循環水は熱交換部４０へ流下してこの熱交換部４０に通風される外部空気と接触して熱交換により冷却された後、下部水槽５０に達して回収される。下部水槽５０内に溜った循環水は、ストレーナ１を通過して下部水槽５０から再び循環経路に入り、熱交換媒体として冷凍機や空気調和機器等で熱を吸収した後、熱交換部上側に達して前記過程が繰返される。
【００３７】
この冷却塔の下部水槽５０でストレーナ１を通じて循環水が取出される過程で、下部水槽５０中の水は、ストレーナ本体１０と下部水槽５０との間の隙間がなす開口１３、１４、１５からストレーナ本体１０下側に横向きに進入する。水の吸込み方向を下部水槽５０底面に沿う横方向となるようにし、且つストレーナ本体１０と下部水槽５０との間の開口をそれぞれ取水口５２からの吸込み力やストレーナ周囲の状況に応じた形状としていることで、循環水を下部水槽５０の底面に沿う横向き流れとしてストレーナ本体１０下側にスムーズに進入させられ、水の流れが空気も吸込むおそれのある水槽上部の水面側から下向きになることはない。
【００３８】
ストレーナ本体１０の下側に入った水は、上向きに進路を変えてフィルタ２０を通過後、取水口５２に入り、取水管５１を通じて下部水槽５０を出る。この時、フィルタ２０で、循環水中に析出して下部水槽５０に達した不純物や脱落したスケール等の異物が濾し取られる。こうして、循環水中の異物はストレーナ１で捕捉、除去され、循環水と共に循環経路に至る不純物やスケールの量は大幅に低減した状態となる。フィルタ２０は曲面状となっており、ストレーナ本体１０幅に対してフィルタ２０の濾過面積が十分確保されていることから、異物が捕捉されて付着しても、水の流れがすぐに滞ることはない。
【００３９】
冷却塔３０を使用し続けると、ストレーナ１のフィルタ２０において、捕捉されて付着した異物の量が増大していくが、ストレーナ１におけるフィルタ２０の上側に開閉可能な扉部１２を配設しており、必要に応じてこれを上側に開けると（図６参照）、フィルタ２０の状態を外部から容易に確認でき、このフィルタ２０の詰り状態確認のためにストレーナ本体１０を全て取外さずに済み、作業性が向上する。
【００４０】
こうして、ストレーナ１に対しては、フィルタ２０の状態を定期的に確認し、不純物やスケールの付着量が過大になる前にフィルタ２０に対し異物除去等のメンテナンスをタイミングよく行うことで、循環水のスムーズな流れを維持でき、水の流れに対する抵抗を小さくすることができ、循環用管路のポンプ損失を抑えられると共に、そのメンテナンス頻度を低減して保守コストの低減が図れる。
【００４１】
このように、本実施の形態に係る冷却塔用ストレーナでは、下部水槽５０内の水を取出す取水口５２を覆うストレーナ本体１０をその大部分が取水口５２上端より低い略箱形状とすると共に、水の進入路をストレーナ本体１０側部と下部水槽５０底面との間の隙間とし、且つストレーナ本体１０下部に配設するフィルタ２０を曲面状として、ストレーナ内へ水の吸込まれる方向を水槽底面に沿う横からの向きに制御しつつ、フィルタ２０における濾過面積を十分確保することから、水を隙間から横向きに吸込みつつ異物を適切に捕捉でき、且つ異物の詰りに伴う水の流路閉塞を生じにくくする一方、取水口５２近傍での水の下向き移動を発生させないようにして下部水槽５０水面付近の空気の吸込みを抑えられることとなり、循環水中に空気を混入させずに循環させられ、冷却塔のトラブルを未然に防止できる。また、ストレーナ本体１０におけるフィルタ２０の上側にあたる部位を扉部１２として開閉可能とし、中のフィルタ２０の状態を扉部１２を開けて視認可能とすることから、異物がフィルタ２０に付着した状態をストレーナ本体１０全体を取外さずに確認できることとなり、容易にフィルタ２０状態の確認作業が行えると共に、フィルタ２０清掃のタイミングを適切に判断でき、異物除去等の手間を必要最小限にとどめることができ、メンテナンスに係るコストを大幅に低減できる。
【００４２】
なお、前記実施の形態に係る冷却塔用ストレーナにおいて、ストレーナ本体１０上部に開閉可能な扉部１２を配設する構成としているが、これに限らず、ストレーナ本体１０におけるフィルタ２０の上側部分に透明な材質を用いる構成とすることもでき、冷却塔３０を使用し続けると、フィルタ２０下側に捕捉されて付着する異物の量が増大していくが、この透明部分を介してフィルタ２０の詰り状態を視認でき、前記実施の形態同様、ストレーナ１を取外さずにフィルタ２０の状態を確認でき、異物の付着量が過大になる前にタイミング良くフィルタ２０清掃を行うことで循環水のスムーズな流れを維持できる。
【００４３】
また、前記実施の形態に係る冷却塔用ストレーナにおいて、水を流入させる開口１３、１４、１５はストレーナ本体１０側部と下部水槽５０底部との隙間としてなり、ストレーナ本体１０が固定されていることに伴って各開口１３、１４、１５の大きさも固定される構成としているが、これに限らず、ストレーナ本体１０隅部の脚部１１を長さ調節可能な構造とし、ストレーナ本体１０の位置を上下に微調整可能としたり、ストレーナ本体１０の取水管５１との接続状態や脚部１１の調整等でストレーナ本体１０の下部水槽５０に対するの傾きを調整可能としたりする構成とすることもでき、このストレーナ本体１０の位置変化や傾き変化に基づいて側部と下部水槽５０底面間の隙間の開口面積を調整し、水の流入状態を変化させられることとなり、下部水槽５０中のストレーナ配設位置で異なる周囲からの水の流入抵抗や、取水管５１からの水の吸込み力の差異に伴う流入量の違いに対応して各開口１３、１４、１５の面積を変化させ、水を周囲から適切に流入させることができ、水を効率よく取水口５２に導いて損失を最小限に抑えられると共に、空気の吸込みを確実に防止できる。この他、ストレーナ本体１０側部に開度調整板をスライド可能に配設し、開度調整板を上下スライドさせて下部水槽５０底部との間隔を変え、開口１３、１４、１５の大きさを調整する構成とすることもでき、下部水槽５０内のどの場所に配設しても開度調整板の位置調整により最適な水の流入状態を実現させられ、様々な箇所に同じストレーナで対応できることとなる。
【００４４】
また、前記実施の形態に係る冷却塔用ストレーナにおいて、扉部１２には手動による以外の開閉機構を特に設けない構成としているが、これに限らず、フィルタ状態を確認する作業者が扉部１２を離したら自動的に扉部１２が閉鎖する機構を用いる構成とすることもでき、作業者が閉忘れても即座に扉部１２が閉鎖状態となって取水口５２への上方からの空気の流入を防ぐことができ、トラブルを未然に防止できる。
【図面の簡単な説明】
【００４５】
【図１】本発明の一実施の形態に係る冷却塔用ストレーナの配置状態説明図である。
【図２】本発明の一実施の形態に係る冷却塔用ストレーナを用いる下部水槽の平面図である。
【図３】本発明の一実施の形態に係る冷却塔用ストレーナの平面図である。
【図４】本発明の一実施の形態に係る冷却塔用ストレーナの正面図、左側面図、及び右側面図である。
【図５】本発明の一実施の形態に係る冷却塔用ストレーナの背面図及び底面図である。
【図６】本発明の一実施の形態に係る冷却塔用ストレーナの扉部開放状態説明図である。
【図７】従来の冷却塔用ストレーナの側面図、背面図及び底面図である。
【符号の説明】
【００４６】
１、１００        ストレーナ
１０              ストレーナ本体
１１              脚部
１２              扉部
１３、１４、１５  開口
２０              フィルタ
２１              支持枠
３０              冷却塔
４０              熱交換部
５０、１１０      下部水槽
５１、１１１      取水管
５２、１１２      取水口
１０１            金網
【図１】
2005324090.tif 000003
【図２】
2005324090.tif 000004
【図３】
2005324090.tif 000005
【図４】
2005324090.tif 000006
【図５】
2005324090.tif 000007
【図６】
2005324090.tif 000008
【図７】
2005324090.tif 000009